(57)【要約】【課題】通話等の携帯端末機の操作時に皮脂や汚れ等が画像表示面等に付着して汚れるのを防止することができる携帯端末機及び携帯端末機用シート引出装置を提供する。【解決手段】シート２０と、このシート２０を収納及び引出し可能なシート収納部３０とを備え、シート２０をシート収納部３０から引出して携帯端末機２の少なくとも画像表示面１０を覆うことができるようにした。【発明の効果】皮脂や汚れ等が画像表示面に付着するのを防止することができるので、ユーザーはそのことを気にせずに通話等の操作をすることができ、携帯端末機の種々の機能を使用する場合には、常に見やすい画像表示面に表示した出力情報を得ることができる。【選択図】　　　図１
2004064416.tif 000002
【特許請求の範囲】
【請求項１】
シートと、前記シートを収納及び引出し可能なシート収納部とを備え、前記シートを前記シート収納部から引出して携帯端末機の少なくとも一部を覆うことができるようにしたことを特徴とする携帯端末機。
【請求項２】
前記シート収納部から引出された前記シートによって前記携帯端末機の少なくとも画像表示面を覆うことができるようにしたことを特徴とする請求項１に記載の携帯端末機。
【請求項３】
前記シート収納部から引出された前記シートの先端部又は先端部近傍に前記携帯端末機に係止する係止部を設けたことを特徴とする請求項１又は請求項２に記載の携帯端末機。
【請求項４】
前記係止部に前記画像表示面を清掃する清掃手段を設けたことを特徴とする請求項３に記載の携帯端末機。
【請求項５】
前記シートをメッシュ繊維とすることを特徴とする請求項１ないし請求項４のいずれかに記載の携帯端末機。
【請求項６】
シートを収納及び引出し可能なシート収納部と、前記シート収納部を携帯端末機に装着する装着手段とを備え、
前記シート収納部を前記装着手段により前記携帯端末機に装着した状態で前記シートを前記シート収納部から引出して前記携帯端末機の少なくとも一部を覆うことができることを特徴とする携帯端末機用シート引出装置。
【発明の詳細な説明】
【０００１】
【発明の属する技術分野】
本発明は、例えば携帯電話機のような携帯端末機、及びその出力情報を表示する画像表示面をシートで覆うような携帯端末機用シート引出装置に関するものである。
【０００２】
【従来の技術】
種々の機能を有する携帯電話機のような携帯端末機は、通話機能以外の多くの機能に関する情報出力を画像表示面から行うようになっており、画像表示面は携帯端末機に必要不可欠な要素となっている。
【０００３】
すなわち従来の携帯端末機の一般的なものとしては、例えば図６に示すような携帯電話機２がある。この携帯電話機２は筐体の一つの面に、スピーカー４、マイク６、操作部８、画像表示面１０等が配置されている。このような携帯電話機２は画像表示面１０を、相手の声が聞こえてくるスピーカー４のすぐ下側に配置するようにして機器のコンパクト化を図っている。
【０００４】
【発明が解決しようとする課題】
しかしながら、上記携帯電話機２のように画像表示面１０をスピーカー４のすぐ下側に配置した場合は、通話時においてユーザーがスピーカー４に耳を押し当てたときに、画像表示面１０にも耳又はその近傍の人体の一部が接触することとなり、画像表示面１０に人体の皮脂や汚れが付着して汚れてしまう。そのため、携帯電話機２の種々の機能を使用する場合に、画像表示面１０に表示した出力情報が読み取り難くなってしまうという問題があった。
【０００５】
また、携帯電話機以外の電子手帳などの他の携帯端末機においても、操作時に皮脂や汚れが付着することにより画像表示面１０に表示した出力情報が読み取り難くなってしまうという問題があった。また画像表示面１０以外の箇所であっても、皮脂が付着することにより塵等が更に付着し易くなるため、携帯端末機の外観を損ったり、操作性が低下する場合もある。
【０００６】
このような問題と同様の問題を解決するための従来手段としては、特開２００１−３２１７３２のように、表示画面上に配設されて、手指で接触操作されるようなタッチパネルを清掃する清掃機構がある。この清掃機構はタッチパネルの表面を覆う保護シートを、タッチパネルの上下に配置したローラーで巻き取るようにすると共に、巻き取り経路上に保護シートに付着した汚れを除去する清掃手段を設けたものである。
【０００７】
しかしながら、このような清掃機構は大型であるため、携帯端末機に組み込むこととすると、最大の利点である携帯性を損うこととなる。
【０００８】
そこで本発明は、通話等の携帯端末機の操作時に皮脂や汚れ等が画像表示面等に付着して汚れるのを防止することができる携帯端末機及び携帯端末機用シート引出装置を提供することを課題とするものである。
【０００９】
【課題を解決するための手段】
上記課題を解決するために、本発明による携帯端末機は、シートと、前記シートを収納及び引出し可能なシート収納部とを備え、前記シートを前記シート収納部から引出して携帯端末機の少なくとも一部を覆うことができるようにしたことを特徴とするものである。
【００１０】
このような携帯端末機によれば、携帯端末機に耳等を押し当てたときに皮脂や汚れ等が画像表示面に付着して汚れるのを防止することができるので、ユーザーは携帯端末機が汚れることを気にせずに通話することができると共に、携帯端末機の種々の機能を使用する場合には常に見やすい画像表示面に出力情報を表示させることができる。
【００１１】
また、画像表示面以外の箇所に皮脂や汚れ等が付着することによりその箇所に塵等が更に付着し易くなることを防止することができるので、携帯端末機の安定した操作性を得ることができる。
【００１２】
【発明の実施の形態】
以下、本発明の実施の形態について、図面に基づいて具体的に説明する。
図１ないし図５は、本発明に係る携帯端末機及び携帯端末機用シート引出装置の実施の形態について説明するために参照する図である。
【００１３】
各実施の形態においては、携帯端末機の一例として携帯電話機について説明するものとし、従来の携帯電話機と同じ部品や要素については同じ符号を付して説明し、その重複する説明は省略するものとする。
【００１４】
図１ないし図３は、本発明に係る携帯端末機及び携帯端末機用シート引出装置の第１の実施の形態を示したものである。
【００１５】
図１において、携帯電話機２の画像表示面１０及び操作部８はシート２０により覆われるようになっており、このシート２０は、携帯電話機２のスピーカー４側の端部２ａに取付けられているシート収納部３０から引出すことができるようになっている。
【００１６】
シート２０としては、例えば、特開平１０−１２５２６０号公報に開示されているメッシュ織物（メッシュ繊維）を用いることができる。このメッシュ繊維は防眩機能を有する繊維であって、たとえばメッシュ数が１３５〜２７０の織物を使用することができる。そのメッシュ数より大きいと画面が暗くなり、そのメッシュ数より小さいと画面から光が漏れ過ぎて防眩作用が損われるためである。
【００１７】
一方、シート２０の先端部２０ａには係止部２４が取付けられており、この係止部２４は携帯電話機２のマイク６側の端部２ｂに係止することができるので、シート２０は画像表示面１０及び操作部８を覆った状態を維持することができるようになっている。
【００１８】
図２に示すように、シート収納部３０の本体部３２は、プラスチック材又はアルミニウム材等により形成され、その取付け面３４は本体部３２が取付けられる携帯電話機２の端部２ａの曲面等の形状に対応して密着するように形成されている。そして、携帯電話機２に取付けるための取付け部３６が本体部３２の両端部から、取付け面３４より携帯電話機２側に突出するように形成されている。
【００１９】
取付け部３６はこれに対応する携帯電話機２の取付け孔部１２に差し込むことにより、取付け後に外れないように取付け部３６の先端の鍵形の引掛部３８が取付け孔部１２の縁部内側に引っ掛るようになっている。
【００２０】
またシート収納部３０を携帯電話機２から取り外す場合には、取付け部３６を強く外側から内側に押し込むことにより、取付け部３６が弾性変形して引掛部３８が取付け孔部１２の縁部内側から外れるので、シート収納部３０を携帯電話機２から簡単に取り外すことができる。
【００２１】
また、シート収納部３０には、シート２０を巻取るための巻取シャフト４０が軸回り方向に回転することができるように本体部３２に支持されている。この巻取シャフト４０にはシート２０の後端部が固定されていて、シート２０の巻取りを可能にしている。
【００２２】
そしてこの巻取シャフト４０の端部には、渦巻きバネ４２の中心側の端部４２ｂが固定され、渦巻きバネ４２の外周側にある端部４２ａが本体部３２に固定されていることにより、常にシート２０を巻取る方向に巻取シャフト４０を回転させるトルクが与えられるようになっている。
【００２３】
これによって、シート２０には常に張力が与えられるようになっており、シート収納部３０からシート２０を自在に引出したり巻取ったりすることができるようになっている。
【００２４】
また、シート２０の先端部２０ａは、図１及び図３に示すように、係止部２４を介して携帯電話機２に係止することができるようになっている。すなわち係止部２４は、略矩形の枠状に形成されていて、この枠の内側の寸法は、携帯電話機２の断面の寸法と較べ若干の隙間を有するようになっており、その枠は一定の厚さを有するようになっている。そして係止部２４は、その枠の内側に携帯電話機２が嵌合した状態で携帯電話機２の長さ方向に移動することができるようになっている。
【００２５】
また係止部２４は、シート２０の先端部２０ａがその枠の一辺２４ａに取付けられるようになっている。この枠の一辺２４ａの内側であってシート収納部３０寄りの側には、その材質がゴム等の摩擦係数の高い材質を用いた引掛り部材４４が接着等により固定されている。
【００２６】
このため、係止部２４の枠の一辺２４ａがシート２０の張力により、図３に示すように、シート収納部３０側に引られるようにして係止部２４が斜めの姿勢に傾いた場合には、引掛り部材４４が携帯電話機２に押付けられるので、引掛り部材４４の摩擦力によって移動が停止した係止部２４にシート２０の先端部２０ａは係止されるようになっている。
【００２７】
このような携帯端末機用シート引出装置１８は、下記のようにして使用する。まずユーザーは通話をする前に、それまでシート収納部３０近傍にあった係止部２４を持ってそれをマイク６側に移動させることにより、シート２０をシート収納部３０から引出し、携帯電話機２の画像表示面１０及び操作部８をシート２０で覆うことができる。
【００２８】
そこで係止部２４から手を離すことにより、係止部２４の引掛り部材４４が携帯電話機２に押付けられて係止され、シート２０は画像表示面１０及び操作部８を覆った状態に維持される。このため、通話時にユーザーが耳を携帯電話機２のスピーカー４に押し当てても、耳はシート２０に遮られて直接には画像表示面１０に当たることはない。またシート２０は音は通すことができるので、ユーザーはスピーカー４からの声をはっきりと聞くことが可能となっている。
【００２９】
通話後、又は通話以外の機能を使用する場合には、引掛り部材４４が携帯電話機２に押付けられて係止部２４が携帯電話機２に係止されている状態から、引掛り部材４４が携帯電話機２から離れるように係止部２４の向きを直すことにより、シート２０がシート収納部３０に巻取られるようにする。シート２０はその先端部２０ａに固定されている係止部２４が画像表示面１０の上側に移動するまで巻取られるので、通常通りに携帯電話機２の通話以外の機能を操作することができる。
【００３０】
このような携帯端末機用シート引出装置１８により、ユーザーは通話時に携帯電話機２の画像表示面１０等をユーザー自身の皮脂等で汚すことを防止することができるので、携帯電話機２の種々の機能を使用する場合には常に見やすい画像表示面１０に表示した出力情報を得ることができる。
【００３１】
またこのような携帯端末機用シート引出装置１８によれば、シート２０にそのメッシュ数が１３５〜２７０のメッシュ繊維を用いたので、防眩機能、すなわち画像表示面１０の走査線によるちらつきや、画像表示面１０における室内の照明光の反射光による目への負担を軽減することができる。
【００３２】
図４及び図５は、本発明に係る携帯端末機用シート引出装置及び携帯端末機の第２の実施の形態を示したものである。図４において、前記第１の実施の形態に係る携帯端末機用シート引出装置１８及び携帯電話機２と同様の部品及び構成、またその作用についての重複する説明は省略する。
【００３３】
図４は、本発明の第２の実施の形態に係る携帯端末機用シート引出装置４８を示す図であり、そのシート収納部５０は、携帯電話機２のスピーカー４側の端部２ａに被せて、両面テープ５２（接着手段）で固定して着脱自在に取付けられるようになっている。
【００３４】
そして、巻取ったシート２０をシート収納部５０の内部に収納することができるようになっている。またシート収納部５０を携帯電話機２の端部２ａに取付けたことによって、スピーカー４を塞いで音声が聞き難くならないようにするため、シート収納部５０のスピーカー４に対向する箇所にスピーカー孔部５４が設けられている。
【００３５】
図５に示すように、係止部５６は、前記第１の実施の形態におけるのと同様に略矩形の枠状に形成されているが、その枠におけるシート２０の先端部２０ａが取り付けられる方の一辺には、その辺の長さ方向と垂直な断面が隣接する辺に対して傾斜するような傾斜形状部５６ａが形成されている。また、枠の傾斜形状部５６ａと向かい合う辺には、その辺の長さ方向と垂直な断面が略Ｌ字型になっているＬ字型形状部５６ｂが形成されている。
【００３６】
そして、係止部５６が携帯電話機２のマイク６側の端部２ｂに係止したときに、マイク６を塞ぐことのないように、係止部５６の対応する箇所にマイク孔部５８が設けられている。また傾斜形状部５６ａの内側には、布やスポンジ等の材質を用いた清掃部材６０が貼付けられている（清掃手段）。
【００３７】
このような係止部５６は傾斜形状部５６ａがシート２０の張力を受けて斜めの姿勢になることにより、Ｌ字型形状部５６ｂが携帯電話機２の端部２ｂの略角の部分に引っ掛るので、係止部５６は携帯電話機２に簡単に係止することができる。
【００３８】
このような携帯端末機用シート引出装置４８によっても、前記第１の実施の形態と同様に、通話時に携帯電話機２の画像表示面１０等をユーザー自身の耳等の皮脂や汚れ等で汚すことを防止することができる。さらに画像表示面１０等に皮脂や汚れ等が付着した場合でも、係止部５６の清掃部材６０を画像表示面１０に軽く押し当てながら上下方向に移動させることにより、清掃部材６０が付着した汚れを拭き取ることができる。
【００３９】
なお、前記第１及び第２の実施の形態においては、携帯電話機２の操作部８もシート２０で覆われるようになっているが、画像表示面１０だけが覆われるようになっていてもよい。またシート収納部３０，５０及び係止部２４，５６は、前記実施の形態において採用した形状や構造に限られるものではない。
【００４０】
また、シート２０は汚れを遮ると共に音を通すことができるものであればよく、シート２０の模様や色彩は特定のものに制限されず、ユーザーの好みによって選択できるようにしてもよく、或は透明であってもよい。またユーザー自身がシート２０に着色することができるようになっていてもよい。また、係止部２４，５６にはその取っ手としてマスコット等を取付けてもよい。
【００４１】
また、本発明は携帯電話機以外に電子手帳などの他の携帯端末機に使用してもよく、さらに、画像表示面がタッチパネルのように指等の接触により皮脂が付着するような場合にも利用することができることはいうまでもない。
【００４２】
【発明の効果】
以上説明したように、本発明の携帯端末機及び携帯端末機用シート引出装置によれば、皮脂や汚れ等が画像表示面に付着するのを防止することができるので、ユーザーはそのことを気にせずに通話等の操作をすることができ、携帯端末機の種々の機能を使用する場合には、常に見やすい画像表示面に表示した出力情報を得ることができる。
【００４３】
また、携帯端末機の画像表示面以外の箇所であっても、皮脂や汚れ等が付着することにより更に塵等が付着し易くなって携帯端末機の操作性が低下することを防止することができる。
【００４４】
また、本発明の携帯端末機用シート引出装置は携帯端末機に着脱可能とすることができるので、必要に応じてシート引出装置のシート等を交換したり洗浄することもできる。
【００４５】
また前記実施の形態に係る携帯端末機用シート引出装置１８によれば、シート２０にそのメッシュ数が１３５〜２７０のメッシュ繊維を用いたので、防眩機能、すなわち画像表示面１０の走査線によるちらつきや、画像表示面１０における室内の照明光の反射光による目への負担を軽減することができる。
【図面の簡単な説明】
【図１】本発明の第１の実施の形態に係る携帯端末機及び携帯端末機用シート引出装置を示す斜視図である。
【図２】図１における携帯端末機用シート引出装置用シート収納部３０を示す拡大斜視図である。
【図３】図１における係止部２４の使用状態を示す側面図である。
【図４】本発明の第２の実施の形態に係る携帯端末機及び携帯端末機用シート引出装置を示す斜視図である。
【図５】図４における係止部５６の使用状態を示す側面図である。
【図６】従来の一般的な携帯電話機の構造を示す斜視図である。
【符号の説明】
２　携帯電話機
２ａ，２ｂ　端部
４　スピーカー
６　マイク
８　操作部
１０　画像表示面
１２　取付け孔部
１８　携帯端末機用シート引出装置
２０　シート
２０ａ　先端部
２４　係止部
２４ａ　一辺
３０　シート収納部
３２　本体部
３４　取付け面
３６　取付け部
３８　引掛部
４０　巻取シャフト
４２　渦巻きバネ
４２ａ，４２ｂ　端部
４４　引掛り部材
４８　携帯端末機用シート引出装置
５０　シート収納部
５２　両面テープ
５４　スピーカー孔部
５６　係止部
５６ａ　傾斜形状部
５６ｂ　Ｌ字型形状部
５８　マイク孔部
６０　清掃部材
【図１】
2004064416.tif 000003
【図２】
2004064416.tif 000004
【図３】
2004064416.tif 000005
【図４】
2004064416.tif 000006
【図５】
2004064416.tif 000007
【図６】
2004064416.tif 000008